(57)【特許請求の範囲】
【請求項１】
開閉自在に連結した２つの部材（１）（２）からなる外容器（３）の内側に、小物を収納する複数の区画を有する内容器（４）を着脱自在に取り付けるようにした小物収納器であって、外容器（３）の各部材（１）（２）にそれぞれ内容器（４）を取り付けるようにしていると共に、各内容器（４）は嵩の高い部分（１２）と低い部分（１３）を有しており、外容器（３）を閉じた場合に、一方の内容器（４）の嵩の高い部分（１２）と、他方の内容器（４）の嵩の低い部分（１３）が対向するようにしていることを特徴とする小物収納器。
【請求項２】
外容器（３）に内容器（４）を嵌合させるようにし、外容器（３）と内容器（４）の両方又はいずれかを変形させることにより、内容器（４）の外容器（３）との着脱を可能としている請求項１記載の小物収納器。
【請求項３】
外容器（３）の内周と内容器（４）の外周に、互いに係合する係合部（１４）（１５）を設けた請求項１又は２記載の小物収納器。
【請求項４】
外容器（３）の周縁に防水用のパッキング（９）を設けた請求項１、２又は３記載の小物収納器。
【発明の詳細な説明】
【０００１】
【発明の属する技術分野】
この発明は、釣具、菓子、医薬（錠剤、散剤）、電子部品、文具、その他適宜の小物を収納するための小物収納器に関するものである。
【０００２】
【従来の技術】
従来、小物を仕分けして収納できるようにした開閉自在な容器としては、容器自体に一体的に形成した仕切りにより区画を設けたものがあった。
【０００３】
しかし、この従来の容器では、区画の大きさや形状を変更することはできなかった。
【０００４】
そのため、区画の大きさや形状が異なる容器を得るためには、容器の製造業者は新たに金型を作製して別の容器を製造する必要があり、また、消費者は新たに別の容器を買い換える必要があり、製造コストや保管場所を多く必要とする等の問題が生じていた。
【０００５】
【発明が解決しようとする課題】
そこで、この発明は、小物を収納する区画の大きさや形状を変更することが容易にできる小物収納器を提供することを課題とする。
【０００６】
【課題を解決するための手段】
前記課題を解決するため、この発明は次のような技術的手段を講じている。
【０００７】
この発明の小物収納器は、開閉自在に連結した２つの部材１，２からなる外容器３の内側に、小物を収納する複数の区画を有する内容器４を着脱自在に取り付けるようにした小物収納器であって、外容器３の各部材１，２にそれぞれ内容器４を取り付けるようにしていると共に、各内容器４は嵩の高い部分１２と低い部分１３を有しており、外容器３を閉じた場合に、一方の内容器４の嵩の高い部分１２と、他方の内容器４の嵩の低い部分１３が対向するようにしている。
【０００８】
外容器３に内容器４を嵌合させるようにし、外容器３と内容器４の両方又はいずれかを変形させることにより、内容器４の外容器３との着脱を可能としたものとすることができる。
【０００９】
外容器３の内周と内容器４の外周に、互いに係合する係合部１４，１５を設けたものとすることもできる。
【００１１】
また、外容器３の周縁に防水用のパッキング９を設けることもできる。
【００１２】
【発明の実施の形態】
以下、この発明の実施の形態を図面を参照して説明する。
【００１３】
この発明の小物収納器は、開閉自在に連結した２つの部材１，２からなる外容器３の内側に、小物を収納する複数の区画を有する内容器４を着脱自在に取り付けるようにしたものである。
【００１４】
図１は、この発明の一実施形態の小物収納器を閉じた状態を示す斜視図、図２はその開いた状態を示す斜視図、図３はその断面図である。この小物収納器は、ズボンのポケット等に収納して携帯できる程度の大きさとしている。
【００１５】
図４は、外容器３から内容器４を取り外した状態を示す斜視図である。２つの部材１，２は、ほぼ同じ形状としており、比較的剛性のある硬質なプラスチック製としている。２つの部材１，２は、蝶番構造５により開閉自在としていると共に、一方の部材２に回動自在に設けられた留め具６により、閉じた状態を保持できるようにしている。この小物収納器は、内容器４を取り付けていない状態でも、外容器３にタバコ等を収納する態様で使用することが可能である。
【００１６】
図５は、内容器４の斜視図、図６は、内容器４の平面図（蓋７を開いた状態）である。内容器４は、前記外容器３の各部材１，２に対応して２つとしているが、１つでもよい。内容器４は、外容器３よりもやや軟質な可撓性を有する透明なプラスチック製としている。
【００１７】
内容器４の上端部には、１つ又は複数の区画を覆う蓋７が、ヒンジ部８を介して設けられている。この小物収納器を、釣り等で水がかかる可能性のある場所に携帯するものとする場合は、収納する小物がぬれないように、外容器３の部材１，２のいずれかの周縁にパッキング９を設けると共に、前記蓋７で密閉状態を保てるようにすることが望ましい。この小物収納器は、内容器４を外容器３から取り外し可能な構成としたため、外容器３を、このようなパッキング９を設けた防水構造にすることが可能である。
【００１８】
内容器４は、格子状に仕切りを設けることにより、複数の区画を有するものとしている。この実施形態では、３列、４行の区画を設けている。仕切りは、内容器４本体と一体的に形成するとよいが、図７に示すように、少なくとも一部の仕切り１０を、区画に形成された挟持部１１に着脱自在とし、区画を変更できるようにしてもよい。
【００１９】
さらに、各内容器４は、嵩の高い部分１２と低い部分１３を有しており、外容器３を閉じた場合に、一方の内容器４の嵩の高い部分１２と、他方の内容器４の嵩の低い部分１３が対向するように、互いに逆向きに配して外容器３に取り付けられるようにしている。
【００２０】
これにより、内容器４には、外容器３の各部材１，２の深さぎりぎり、ないしこれを超える深さを有する部分を形成することができ、収納できる物、収納方法のバリエーションを増やすことができる。
【００２１】
内容器４は外容器３の内側に嵌合するようになっており、また、外容器３の内周と内容器４の外周には、互いに係合する係合部１４，１５が設けられている。外容器３の内周の係合部１４はコの字状枠であり、内容器４の係合部１５は前記コの字状枠の内側に係合する突出片としている。前記係合部１４，１５は、外容器３の各部材１，２の内周、各内容器４の外周の少なくとも対向する２辺に形成するとよい。前記係合部１４，１５により、内容器４は外容器３内にしっかりと固定される。
【００２２】
この実施形態では、係合部１４は、外容器３の各部材１，２の縦方向の２辺（蝶番構造５側の辺とその対向する側の辺）に１つずつ、及び横方向の２辺に２つずつ設けられ、係合部１５は、各内容器４の縦方向の２辺に１つずつ、及び横方向の１辺（上辺又は下辺のいずれか）に２つ設けられており、外容器３の各部材１，２及び各内容器４それぞれの、縦方向の２辺と横方向の１辺において、係合部１４，１５が係合するようにしている。
【００２３】
外容器３に内容器４を着脱する場合は、外容器３と内容器４の両方又はいずれかを少し変形させことにより行なう。変形は、前記係合部１４，１５の係合を解除できる程度のわずかなものでよい。例えば、図８に示すように、外容器の部材１，２の縦方向の辺を指で矢印Ａの方向に押さえて部材１，２を反った状態にして、前記縦方向の２辺における係合部１４，１５の係合を解除し、そして、内容器４の外周や区画を形成する仕切りを指で矢印Ｂの方向に押さえることにより、前記横方向の１辺における係合部１４，１５の係合を解除する等するとよい。
【００２４】
内容器４は、収納する小物の種類に応じ、仕切りの位置、数等に関して様々なバリエーションのものを作製し、取り替えて使用することが可能である。したがって、この小物収納器は、内容器４を交換することにより様々な用途に使用することができるので、製造業者は新たに小物収納器全体の金型を作製し直す必要がなく、また、消費者は新たに別の小物収納器を買い直す必要がない。そのため、新たな小物収納器を製造するコストや、保管場所の確保を省略することが可能である。
【００２５】
【発明の効果】
この発明の小物収納器は、上述のように構成されており、外容器３に取り付けられる内容器４を交換することにより、小物を収納する区画の大きさや形状を変更することが容易にできる。
【図面の簡単な説明】
【図１】この発明に係る小物収納器の実施形態の斜視図。
【図２】この発明に係る小物収納器の実施形態の外容器を開いた状態の斜視図。
【図３】この発明に係る小物収納器の実施形態の外容器を開いた状態の断面図。
【図４】この発明に係る小物収納器の実施形態の外容器の斜視図。
【図５】この発明に係る小物収納器の実施形態の内容器の斜視図。
【図６】この発明に係る小物収納器の実施形態の内容器の平面図。
【図７】この発明に係る小物収納器の実施形態の内容器で、仕切りを着脱する様子を示す説明図。
【図８】この発明に係る小物収納器の実施形態の内容器を着脱する様子を示す説明図。
【符号の説明】
１  部材
２  部材
３  外容器
４  内容器
９  パッキング
１２  嵩の高い部分
１３  嵩の低い部分
１４  係合部
１５  係合部
【図１】
0004009934.tif 000002
【図２】
0004009934.tif 000003
【図３】
0004009934.tif 000004
【図４】
0004009934.tif 000005
【図５】
0004009934.tif 000006
【図６】
0004009934.tif 000007
【図７】
0004009934.tif 000008
【図８】
0004009934.tif 000009